(57)【特許請求の範囲】
【請求項１】
電気光学ディスプレイであって、
双安定電気光学媒質の層と、
該電気光学媒質の層の片側に配設された複数の画素電極であって、該画素電極の少なくとも１つはセンサ画素電極（４１４）である、複数の画素電極と、
該画素電極の各々に関連づけられた少なくとも１つの非線形素子と、
該非線形素子を介して該画素電極に電圧を印加するように構成された画素駆動手段であって、該画素駆動手段は、該少なくとも１つセンサ画素電極に所定の電圧を印加するように構成される、画素駆動手段と、
該電気光学媒質の層の該画素電極と反対側にある共通電極と、
該所定の電圧と該電気光学ディスプレイの非書き込みモードの間の該共通電極上の電圧とを受け取り、これらの電圧間の差を決定するように構成された測定手段と
を備えている、電気光学ディスプレイ。
【請求項２】
電気光学ディスプレイであって、
双安定電気光学媒質の層と、
該電気光学媒質の層の片側に配設された複数の画素電極であって、該画素電極のうちの少なくとも１つがセンサ画素電極（４１４）である、複数の画素電極と、
該画素電極の各々に関連づけられた少なくとも１つの非線形素子と、
該非線形素子を介して該画素電極に電圧を印加するように構成された画素駆動手段であって、該画素駆動手段は、該少なくとも１つのセンサ画素電極に所定の電圧を印加するように構成される、画素駆動手段と、
該電気光学媒質の層の該画素電極と反対側にある共通電極と、
該電気光学ディスプレイの非書き込みモードの間の該少なくとも１つのセンサ画素電極（４１４）上の電圧を表す信号を受け取り、該電気光学ディスプレイの非書き込みモードの間の該共通電極に印加される電圧を該信号に依存して変化させるように構成された共通電極電圧制御手段（８３０、７２０′、７２２′）と
を備えている、電気光学ディスプレイ。
【発明の詳細な説明】
【技術分野】
【０００１】
本発明は、電気光学ディスプレイを制御するための方法に関する。一態様において、本
発明は、電気光学ディスプレイで低電力状態を可能にする技術に関し、より詳しくは、双
安定電気光学媒質を有し、ディスプレイの非書き込み状態時に共通電極の電位を制御する
手段を有するアクティブマトリクス型電気光学ディスプレイに関する。もう一つの態様に
おいて、本発明は、電気光学ディスプレイの電極電位を制御する方法に関し、より詳しく
は、双安定電気光学媒質を用いたアクティブマトリクス型電気光学ディスプレイの共通前
面電極の印加電圧を制御する方法に関する。
【背景技術】
【０００２】
電気光学ディスプレイは、電気光学材料層を備え、本願で、この電気光学材料という用
語は、少なくとも１つの光学的性質が異なる第１および第２の表示状態を持つ材料で、電
界印加によってその第１の表示状態が第２の表示状態に変化する材料を指す画像処理技術
におけるその通常の意味で使用される。この光学的性質は、典型的には、人間の目にとっ
て認識可能な色であるが、光透過率、反射率、ルミネセンスのような別の光学的性質、あ
るいは機械読取り用のディスプレイの場合は、可視域外における電磁波の波長の反射率の
変化という意味で、擬似カラーの場合もある。
【０００３】
本願で「双安定」および「双安定性」という用語は、少なくとも１つの光学的性質が異
なる第１および第２の表示状態を持つ表示素子を備えたディスプレイで、いずれか所与の
表示素子が有限持続時間のアドレスパルスを用いて該第１または第２の表示状態を取るよ
う駆動され後該アドレスパルスが終了してから、その状態が、該所与の表示素子の状態を
変化させるのに必要なアドレスパルスの最小持続時間の少なくとも数倍、例えば少なくと
も４倍持続するように構成されたディスプレイを表す画像処理技術における通常の意味で
使用される。米国特許出願公開第２００２/０１８０６８７号で、グレースケールが可能
な一部の粒子ベース電気泳動ディスプレイについて、極黒および極白状態においてだけで
なく、これらの中間の灰色状態でも安定であること、またこれは他のタイプの電気光学デ
ィスプレイの一部についても言えるが明らかにされている。このタイプのディスプレイは
、双安定よりむしろ「多安定」と呼ぶ方が適切であるが、本願では、便宜上、双安定ディ
スプレイおよび多安定ディスプレイの両方を包括的に含む意味で「双安定」という用語を
使用することがある。
【０００４】
これまで、いくつかのタイプの電気光学ディスプレイが知られている。このような電気
光学ディスプレイの１つのタイプとして、例えば、下記の米国特許に記載された回転２色
部材型のものがある：第５，８０８，７８３号；第５,７７７，７８２号；第５,７６０，
７６１号；第６,０５４，０７１号；第６,０５５，０９１号；第６,０９７，５３１号；
６，１２８，１２４号；第６,１３７，４６７号；および第６,１４７，７９１号（このタ
イプのディスプレイはしばしば「回転２色ボール」ディスプレイでと呼ばれるが、上掲の
いくつかの特許では、回転部材は球形ではないと記載されているので、「回転２色部材」
の方がより正確で好ましい。）このようなディスプレイは、光学特性が異なる２つ以上の
部分を持つ多数の小体（通常、球形または円筒形）および内部双極子を使用する。これら
の小体は、マトリックス中の液胞（ｖａｃｕｏｌｅ）中に懸濁させられ、液胞には、小体
が自由に回転できるように液体が満たしてある。ディスプレイの表示様相は、ディスプレ
イに電界を印加し、これによって小体をいろいろな回転位置に回転させて、画面を通して
見える上記小体の部分を変えることにより変化させられる。
【０００５】
もう１つのタイプの電気光学ディスプレイは、エレクトロクロミック媒質を使用するも
ので、例えば少なくとも一部半導体金属酸化物で形成された電極および該電極に固着した
可逆色変化が可能な複数の染料分子からなるナノクロミクス膜の形のエレクトロクロミッ
ク媒質が使用される；例えば、Ｏ'Ｒｅｇａｎ，Ｂ．他，Ｎａｔｕｒｅ誌１９９１，３５
３，７３７；およびＷｏｏｄ，Ｄ.，Ｉｎｆｏｒｍａｔｉｏｎ  Ｄｉｓｐｌａｙ，１８（
３），２４（２００２年３月）を参照。また、Ｂａｃｈ，Ｕ．他，Ａｄｖ.Ｍａｔｅｒ.，
２００２,１４（１１），８４５を参照。また、このタイプのナノクロミクス膜は、例え
ば、米国特許第６,３０１，０３８号、国際特許出願第ＷＯ  ０１/２７６９０号、および
米国特許出願第２００３/０２１４６９５号にも記載されている。このタイプの媒質も、
通常双安定性を示す。
【０００６】
長年月にわたって激烈な研究開発活動の課題であったもう１つのタイプの電気光学ディ
スプレイが、複数の荷電粒子が電界の作用下に懸濁流体（ｓｕｓｐｅｎｄｉｎｇ  ｆｌｕ
ｉｄ）を通って移動する粒子ベースの電気泳動ディスプレイである。電気泳動ディスプレ
イは、液晶ディスプレイと比較して、輝度およびコントラストが良く、視野角が広く、状
態双安定性が高く、かつ低電力消費であるという特質を持ち得る。にもかかわらず、これ
らの電気泳動ディスプレイは、長期的な画質に付随した問題があるため、広範な利用が妨
げられて来た。例えば、電気泳動ディスプレイを構成する粒子は沈降する傾向があり、そ
の結果、これらのディスプレイにとって十分な耐用年数が得られていない。
【０００７】
最近、カプセル封入電気泳動媒質を記載したマサチューセッツ工科大学（ＭＩＴ）およ
びＥ  Ｉｎｋ  Ｃｏｒｐｏｒａｔｉｏｎ（イー・インクコーポレーション）に譲渡された
あるいはこれらの名義になる多数の特許および特許出願が公布・公開されるに至った。こ
のようなカプセル封入媒質は、それ自身が各々液体懸濁媒中に懸濁された電気泳動性粒子
を含有する内相および該内相を取り囲むカプセル壁を備えた多数の小さいカプセルよりな
る。通常、これらのカプセルは、それ自身ポリマーバインダー中に保持されて、２つの電
極間に位置するコヒーレント層を形成する。このタイプのカプセル封入媒質は，例えば，
次の米国特許、米国特許出願公開および国際特許出願公開公報に記載されている：米国特
許第５,９３０，０２６号；第５,９６１，８０４号；第６,０１７，５８４号；第６,０６
７，１８５号；第６,１１８，４２６号；第６,１２０，５８８号；第６,１２０，８３９
号；第６,１２４，８５１号；第６,１３０，７７３号；第６,１３０，７７４号；第６,１
７２，７９８号；第６,１７７，９２１号；第６，２３２，９５０号；第６,２４９，７２
１号；第６,２５２，５６４号；第６,２６２，７０６号；第６,２６２，８３３号；第６,
３００，９３２号；第６,３１２，３０４号；第６,３１２，９７１号；第６,３２３，９
８９号；第６,３２７，０７２号；第６,３７６，８２８号；第６,３７７，３８７号；第
６,３９２，７８５号；第６,３９２，７８６号；第６,４１３，７９０号；第６,４２２，
６８７号；第６,４４５，３７４号；第６,４４５，４８９号；第６,４５９，４１８号；
第６,４７３，０７２号；第６,４８０，１８２号；第６,４９８，１１４号；第６,５０４
，５２４号；第６,５０６，４３８号；第６,５１２，３５４号；第６,５１５，６４９号
；第６,５１８，９４９号；第６,５２１，４８９号；第６,５３１，９９７号；第６,５３
５，１９７号；第６,５３８，８０１号；第６,５４５，２９１号；第６,５８０，５４５
号；第６,６３９，５７８号；第６,６５２，０７５号；第６,６５７，７７２号；第６,６
６４，９４４号；第６,６８０，７２５号；第６,６８３，３３３号；第６,７０４，１３
３号；第６,７１０，５４０号；第６,７２１，０８３号；第６,７２４，５１９号；第６,
７２７，８８１号；第６,７５０，４７３号，および第６,７５３，９９９号；米国特許出
願公開第２００２/００１９０８１号；第２００２/００２１２７０号；第２００２/００
５３９００号；第２００２/００６０３２１号；第２００２/００６３６６１号；第２００
２/００６３６７７号；第２００２/００９０９８０号；第２００２/０１０６８４７号；
第２００２/０１１３７７０号；第２００２/０１３０８３２号；第２００２/０１３１１
４７号；第２００２/０１４５７９２号；第２００２/０１７１９１０号；第２００２/０
１８０６８７号；第２００２/０１８０６８８号；第２００２/０１８５３７８号；第２０
０３/００１１５６０号；第２００３/００２０８４４号；第２００３/００２５８５５号
；第２００３/００３４９４９号；第２００３/００３８７５５号；第２００３/００５３
１８９号；第２００３/０１０２８５８号；第２００３/０１３２９０８号；第２００３/
０１３７５２１号；第２００３/０１３７７１７号；第２００３/０１５１７０２号；第２
００３/０１８９７４９号；第２００３/０２１４６９５号；第２００３/０２１４６９７
号；第２００３/０２２２３１５号；第２００４/０００８３９８号；第２００４/００１
２８３９号；第２００４/００１４２６５号；第２００４/００２７３２７号；第２００４
/００７５６３４号；第２００４/００９４４２２号；第２００４/０１０５０３６号；お
よび第２００４/０１１２７５０号；国際出願公開第ＷＯ９９/６７６７８号；第ＷＯ００
/０５７０４号；第ＷＯ００/３８０００号；第ＷＯ００/３８００１号；第ＷＯ００/３６
５６０号；第ＷＯ００/６７１１０号；第ＷＯ００/６７３２７号；第ＷＯ０１/０７９６
１号；第ＷＯ０１/０８２４１号；第ＷＯ０３/０９２０７７号；第ＷＯ０３/１０７３１
５号；および第ＷＯ２００４/０４９０４５号。
【０００８】
前述の特許および特許出願の多くでは、カプセル封入電気泳動媒質中の互いに離散状を
なすマイクロカプセルを取り囲む壁は連続相に置き換えることができ、その結果、電気泳
動媒質が互いに離散状をなす電気泳動流体の複数の小滴と高分子材料の連続相とからなる
いわゆる「高分子分散型電気泳動ディスプレイ」を生成することができること、およびこ
のような高分子分散型電気泳動ディスプレイ中の互いに離散状をなす電気泳動流体の小滴
は、個々の各小滴に個別のカプセル膜が伴ってはいないが、カプセルあるいはマイクロカ
プセルと見なすことが可能であることを認めている；例えば、上記米国特許出願公開第２
００２/０１３１１４７号を参照。したがって、本願の目的に関しては、このような高分
子分散型電気泳動媒質はカプセル封入電気泳動媒質の下位種とみなされる。
【０００９】
カプセル封入電気泳動ディスプレイは、通常、従来の電気泳動デバイスに見られるクラ
スタおよび沈降欠陥モードに悩まされることがなく、また多種多様な軟質基板および硬質
基板上にディスプレイを印刷するか、あるいは塗被することができるというような、さら
なる利点が得られる。（ここで、「印刷」という用語は、下記を含め（ただし、これに限
定されない）あらゆる形態の印刷および塗工を含む意味で使用する：パッチダイ塗工、ス
ロットまたは押出塗工、スライドまたはカスケード塗工、カーテン塗工のようなプリメー
タリング式塗工；ナイフオーバーロール塗工、順逆ロール塗工のようなロール塗工；グラ
ビア塗工；浸漬塗工；吹付塗工；メニスカス塗工；スピン塗工；ブラシ塗工；エアーナイ
フ塗工；シルクスクリーン印刷プロセス；静電印刷プロセス；サーマルプリンティングプ
ロセス；インクジェットプリンティングプロセス；およびその他同様の技術。）従って、
これらの加工の結果、フレキシブルディスプレイを得ることが可能である。さらに、ディ
スプレイ媒質は（いろいろな方法を用いて）印刷することができるから、ディスプレイ自
体を安価に製造することができる。
【００１０】
前記のイー・インクコーポレーションおよびＭＩＴの特許および特許出願の一部には、
単個のカプセル中に２種類より多い電気泳動粒子を入れた電気泳動媒質が記載されている
。本願の目的に関しては、このような多種粒子媒質は二種粒子媒質のサブクラスと見なさ
れる。
【００１１】
関連したタイプの電気泳動ディスプレイとして、いわゆる「マイクロセル電気泳動ディ
スプレイ」がある。マイクロセル電気泳動ディスプレイにおいては、荷電粒子および懸濁
流体はカプセル中に封入されるのではなく、キャリヤー媒質、通常高分子膜中に形成され
た多数のキャビティ中に保持される。これに関しては、例えば、国際特許出願第ＷＯ  ０
２/０１２８１号および米国特許出願公開第２００２/００７５５５６号（共にＳｉｐｉｘ
Ｉｍａｇｉｎｇ，Ｉｎｃ．社に譲渡）参照。
【００１２】
電気泳動媒質は、しばしば不透明であり（例えば、多くの電気泳動媒質では、粒子が可
視光線のディスプレイ透過をかなり大きく阻むため）、反射モードで動作するが、多くの
電気泳動ディスプレイは、一つの表示状態が実質的に不透明であり、また一つの表示状態
が透光性であるいわゆる「シャッターモード」で動作するように構成することができる。
これに関しては、例えば、前記の米国特許第６,１３０，７７４号および第６,１７２，７
９８号、および米国特許第５,８７２，５５２号；第６,１４４，３６１号；第６,２７１
，８２３号；第６,２２５，９７１号；および第６，１８４，８５６号参照。電気泳動デ
ィスプレイに類似しているが、電界強度の変動に依存する誘電泳動ディスプレイも同様に
動作することができる；これに関しては、米国特許第４,４１８，３４６号参照。他のタ
イプの電気光学ディスプレイも、やはりシャッターモードで動作することが可能である。
【００１３】
高精細電気光学ディスプレイを得るためには、ディスプレイの個々の画素を隣接画素か
らの妨害なしにアドレス指定することができなければならない。これを達成する一つの方
法は、ディスプレイの各画素に少なくとも１つの非線形素子を関連づける形で、トランジ
スタやダイオードなどの非線形素子のアレイを設けることである。画素または関連する画
素に隣接したアドレス電極を、ディスプレイの動作を制御するために用いられる駆動回路
に非線形素子を介して接続する。このような非線形素子を備えたディスプレイは、「アク
ティブマトリクス」型ディスプレイとして知られている。
【００１４】
通常、このようなアクティブマトリクスディスプレイは、複数のデータ線と複数の選択
線を備え、各画素が１本のデータ線と１本の選択線との交点によって一意に定義される２
次元（「ＸＹ」）アドレス方式を使用する。特定の選択線に電圧を印加することによって
１本の画素行が選択され（ここでは、選択線が画素行列の行を決め、データ線が列を決め
るものと仮定するが、これは当然任意であり、必要ならば、この対応関係を逆にすること
も可能である）、データ線すなわち列線上の電圧を調節することによってその選択された
行中の画素から所望の光応答が得られる。選択された行中の画素電極は、電圧が、それら
の対応するデータ線の電圧に近いが正確に等しくはない（下に説明する理由で）電圧に上
げられる。そして、電圧を次の選択線に印加することによって次の画素行が選択され、こ
のようにしてディスプレイ全体が１行ずつ書き込まれる。
【００１５】
非線形素子がトランジスタ（通常、薄膜トランジスタ（ＴＦＴ））である場合、データ
線および選択線とトランジスタを電気光学媒質の片側に配設し、多数の画素および通常は
ディスプレイ全体にわたって、単一の共通電極を電気光学媒質の反対側に配設することが
従来から一般的に行われている。これに関しては、例えば、データ線がＴＦＴアレイのソ
ース電極に接続され、画素電極がＴＦＴのドレイン電極に接続され、選択線がＴＦＴのゲ
ート電極に接続されており、単一の共通電極が電気光学媒質の反対側に設けられているよ
うな構造を記載した前記国際公開第ＷＯ００/６７３２７号参照。共通電極は、通常ディ
スプレイの画面（すなわち、観察者が見るディスプレイの面）上に設けられる。ディスプ
レイの書き込み時、共通電極は、「共通電極電圧」あるいは「共通平面電圧」として知ら
れ、通常「ＶＣＯＭ」と略記される一定電圧に保たれる。この共通平面電圧は、電気光学
媒質の種々の画素の光学的状態に影響を与える単なる共通平面電圧と種々の画素電極に印
加される電圧との差でしかないので、適宜任意の値とすることが可能である。多くの種類
の電気光学媒質は、印加電界の大きさと共に極性に感応し、そのために、画素電極は共通
平面電圧より高い電圧とこれより低い電圧の両方で駆動できることが必要である。例えば
、Ｖを任意の最大使用電圧として、共通平面電圧を０にし、画素電極を−Ｖ〜＋Ｖの範囲
で変化させることが可能できる。あるいは、共通平面電圧を＋Ｖ/２に保持し、画素電極
を０〜＋Ｖの範囲で変化させることも一般的に行われている。
【００１６】
双安定電気光学媒質の１つの重要な用途として、携帯情報端末（ＰＤＡ）および携帯電
話のような携帯用電子機器があり、これらの用途では電池寿命が重要な考慮要件であって
、そのためにディスプレイの電力消費を可能な限り低減することが望まれる。液晶ディス
プレイは双安定ではなく、それ故、イメージを見える状態に維持するためには、このよう
なディスプレイに書き込まれたイメージを絶えずリフレッシュしなければならない。この
ように間断ないイメージのリフレッシュ動作時に消費される電力が、バッテリーの主要な
消耗源になっている。これと対照的に、双安定電気光学ディスプレイは１回書き込みする
だけで足り、書き込みした後、双安定媒質はリフレッシュなしで相当長期間イメージを保
持するので、ディスプレイの電力消費を大幅に低減させられる。例えば、イメージが何時
間もさらには何日も持続する粒子ベースの電気泳動ディスプレイが実証されている。
【００１７】
したがって、電力節減のためには、イメージの更新と更新の間にアクティブマトリクス
型双安定電気光学ディスプレイを走査しないようにする方が有利である。場合によっては
、ディスプレイを駆動するために使用するドライバおよび共通平面回路を完全にパワーダ
ウンすることにより、さらに大きい電力節減を達成することができる。
【００１８】
しかしながら、必要な場合にノンライティング・モード（あるいは、「非走査」モード
または「ゼロパワー」モードとも呼ばれる）を行うことは決して取るに足りないことでは
ない。ディスプレイは、ディスプレイがその書き込み（走査）モードと非書き込みモード
との間で切り換わるときに、電気光学媒質が著しい電圧振幅過渡変化を経ることがないよ
うな形で設計し、動作させるべきである。
【００１９】
一見すると、単にカラムドライバに中間電圧（すなわち、これらのドライバが使用する
範囲の中間点の電圧）を与え、かつゲート線を選択することなくゲート電圧クロックを止
めることが、ノンライティング・モードを行うのに許容される方法のように思われるかも
しれない。しかしながら、実際には、これは定常状態ＤＣバイアス電流が電気光学媒質に
印加される結果に至る。すべてのアクティブマトリクスディスプレイは、画素電極に達す
る電圧が対応する列（データ）電圧入力からある大きさ（通常０.５〜２.０Ｖ）だけ変化
する「ゲートフィードスルー」あるいは「キックバック」と呼ばれる作用を受ける。この
ゲートフィードスルー効果は、ゲート線とソース線／画素電極との間の結合電気回路網を
通して作用するゲート（選択）線の走査から生ずる。このように、実際に画素電極に印加
される電圧は、走査時におけるゲートフィードスルーのために、列ドライバ電圧からマイ
ナス方向にずれる。通常、共通平面電圧は、画素電極に印加される電圧におけるこのゲー
トフィードスルー偏移に対応するために、その概念値から一定の大きさだけマイナス側に
オフセットされる。走査を止めると、このゲートフィードスルーによる偏移は起こらず、
その結果、列ドライバの中間電圧が、共通平面電極と画素電極との間の電圧差をゼロにす
るのに必要な電圧より高くなる。これに従って、ＴＦＴには、そのオフ状態特性によるこ
のバイアス下で列線と画素電極との間にリーク電流が生じ、この電流が画素電極から電気
光学媒質を通って共通電極へ流れる。すると、この電流の流れが電気光学媒質の両面間に
電圧を発生させ、このような電圧は非書き込み期間において電気光学媒質の光学的状態を
乱し、またこの材料の耐用年数を縮め、かつ走査再開後次のイメージの光学的状態に悪影
響を及ぼす電気光学媒質の電荷蓄積を生じる原因になり得るので、望ましくない。（電気
光学媒質を流れる電流が、長期間にわたって直流平衡が取れていないと、少なくとも一部
の電気光学媒質に悪影響が生じるということ、またこのような直流不平衡は、実効寿命短
縮およびその他の望ましくない結果の原因になり得るということが明らかにされている。
）
さらに、一見すると、非書き込みモードに向けてドライバ回路をパワーダウンするには
、単にバイアス電圧を供給する回路の電源を切るか、あるいはそのような回路からドライ
バへの電力の流れを遮断しさえすればよいように思われるかもしれないが、実際は、これ
らのどちらの手段も電気光学媒質に望ましくない電圧過渡変化をもたらす可能性が高い；
このような電圧過渡変化は、とりわけ、従来のアクティブマトリクスドライバ回路に存在
する寄生容量によって生じ得る。
【００２０】
一局面において、本発明は、電気光学ディスプレイをノンライティング・モードに切り
換え、またノンライティング・モードから出る切り換え動作時に電気光学媒質に望ましく
ない電圧過渡応答を与えることなく、電気光学ディスプレイでノンライティング・モード
を実現する装置および方法を提供せんとするものである。また、本発明は、電気光学媒質
に悪影響を及ぼすこともある望ましくない電圧オフセットを該電気光学媒質に与えること
なく、電気光学ディスプレイでノンライティング・モードを実現する装置および方法を提
供せんとするものである。
【００２１】
他のいくつかの本発明の局面は、電圧オフセットを測定し、補正するための方法に関す
るものである。ゲートフィードスルー電圧の発生源については、既に上に説明した。理想
的に言うと、ゲートフィードスルー電圧は、アレイ中のすべての画素の両端間でおおよそ
等しく、共通電極電圧にオフセットを与えることにより相殺することができる。しかしな
がら、フィードスルー電圧をほぼ正確に相殺するオフセット電圧を共通電極に印加するこ
とは困難である。これを行うためには、オフセット電圧が正確にフィードスルー電圧と一
致するかどうかを確認すると共に、オフセット電圧を発生し、設定し、そして調整するた
めの手段を設けなければならない。理想的には、フィードスルー電圧をあらかじめ知り、
ディスプレイの電子回路部を製造する際にオフセット電圧を永久的かつ安価に設定できる
ようにする。実際には、電子回路部とディスプレイを最終ユニットの形に組み立てた後、
オフセット電圧をある程度調整することが必要である。
【００２２】
従来の液晶ディスプレイ（ＬＣＤ）では、オフセット電圧の調整は目視より行うことが
できる；印加されたオフセット電圧が正しくないときは、ディスプレイの点滅が目で検知
される。そして、オペレータは、点滅が消えるまでアナログポテンシオメータの位置を変
えることにより、オフセット電圧を調整することができる。
【００２３】
しかしながら、粒子ベースの電気泳動ディスプレイおよびその他のほとんどのタイプの
双安定電気光学ディスプレイにおいては、オフセット電圧が不正確でも、オフセット電圧
の誤差が非常に大きくない限り、人間の目に見えるような効果は何ら生じない。その結果
、オフセット電圧のかなり大きい誤差が視認不可能な状態で持続し得、これらのかなり大
きい誤差は、補正されないまま残ると、ディスプレイに有害な作用を及ぼす可能性がある
。したがって、目視観察以外に、オフセット電圧の誤差を検出するための何らかの方法を
もたらすことが大いに望まれるところである。さらに、このような誤差は、検出し、測定
したならば、ＬＣＤの場合同様手作業で補正することができるが、このような手作業によ
る補正は面倒であり、オフセット電圧を自動的に調整する何らかの方法をもたらすことが
望まれている。
【発明の概要】
【課題を解決するための手段】
【００２４】
本発明は、オフセット電圧を測定しかつ補正する装置および方法を提供せんとするもの
である。本発明には、手作業および自動による両方の補正方法が含まれる。
【００２５】
したがって、一局面における本発明は、電気光学ディスプレイであって：
双安定電気光学媒質層と；
該電気光学媒質層の片側に配設された複数の画素電極と、
各画素電極に関連づけられた少なくとも１つの非線形素子と；
該非線形素子を介して該画素電極に電圧を印加するように構成された画素駆動手段と；
該電気光学媒質層の該画素電極と反対側に配設された共通電極と；
該共通電極に電圧を印加するように構成された共通電極制御手段と；を備え、
該ディスプレイは、該画素駆動手段が少なくとも２つの異なる電圧を異なる各画素電極に
印加することによって、イメージを該電気光学媒質に書き込む書き込みモードと、該画素
駆動手段が、前に該電気光学媒質に書き込まれたイメージが実質的に維持されるように、
該画素電極に印加される電圧を制御する非書き込みモードとを有し、
該共通電極制御手段が、ディスプレイがその書き込みモードにあるとき第１の電圧を該共
通電極に印加し、ディスプレイがその非書き込みモードにあるとき該第１の電圧と異なる
第２の電圧を該共通電極に印加するように構成された；電気光学ディスプレイにある。
【００２６】
説明の都合上、以下、本発明のディスプレイを「可変共通平面電圧型ディスプレイ」と
称することもある。このようなディスプレイには、主として２つタイプがある。どちらの
タイプのディスプレイでも、共通電極は、書き込みモードの間、所定の電圧に保たれる。
（これは、ディスプレイが、異なる書き込みモードで、共通電極に異なる電圧が印加され
る２つ以上の書き込みモードを持つことができるようにした構成を排除するものではない
。例えば、前記米国特許出願公開第２００３/０１３７５２１号に記載されているように
、共通電極の電圧を（例えば）０と＋Ｖとで切り換え、画素電極に印加される電圧を０か
ら＋Ｖまで変化させて、共通電極の電圧が０のときは一方向の画素遷移を処理し、共通電
極が＋Ｖのときは他方向の画素遷移を処理するいわゆる「上面スイッチング」方式を用い
ることが望ましい場合もある。例えば、白黒ディスプレイの場合を仮定すると、電気光学
媒質の特性によって、共通電極の電圧が０のときは白方向遷移（すなわち、画素の最終状
態が最初の状態より明るい遷移）が処理され、共通電極の電圧が＋Ｖのときは黒方向遷移
（すなわち、画素の最終状態が最初の状態より暗い遷移）が処理されることになる）。し
かしながら、第1のタイプの可変共通平面電圧型ディスプレイでは、非書き込みモードの
とき、共通電極の電圧は、共通電極を電圧源線あるいは他の電気回路に接続することによ
り「一定」値に保たれる（以下に説明する方法で調整することができる）。第２のタイプ
では、ディスプレイが非書き込みモードのとき、共通電極は外部の電圧源から切り離され
、「フロート」状態になる。以下の説明でこれら２つのタイプを区別することが必要な場
合、前者を「二重（ｄｕａｌ）共通平面電圧型ディスプレイ」とし、後者を「フロート（
ｆｌｏａｔｉｎｇ）共通電極型ディスプレイ」と称する。
【００２７】
二重電極平面電圧型ディスプレイは、例えば：
第１の電圧を供給するように設けた第1の電圧源線と；
第２の電圧を供給するように設けた第２の電圧源線と；
出力線と；
該第１および第２の電圧源線の一方を該出力線に接続するためのスイッチング手段と；
該スイッチング手段に接続されていて、第１または第２の値を持つ制御信号を受け取るよ
うに設けた制御線と；を備え、
該スイッチング手段が、該制御信号が該第１の値を有するとき該出力線を該電圧源線に接
続し、該制御信号が該第２の値を有するとき該出力線を該電圧源線に接続するように構成
されたものである。
【００２８】
この形の二重共通平面電圧型ディスプレイにおいては、出力線を共通電極に接続する場
合もある。その場合、ディスプレイは、さらに、第２の電圧を受け取るように設けた各々
対応するセンサ画素電極を有しかつ第２の電圧源線と接続された少なくとも１つのセンサ
画素を備えることができる。このディスプレイは、さらに、その正入力が少なくとも１つ
のセンサ画素に接続され、かつその出力がその負入力と第２の電圧源線の両方に接続され
た差動増幅器を備えることが可能である。
【００２９】
あるいは、出力線によって画素駆動手段の電圧範囲の中間点を制御するように構成する
ことも可能である。前記の国際出願公開第ＷＯ  ００/６７３２７号に記載されているよ
うに、必要ならば、各々一方の電極が共通電極と同じ電圧を受け取るようにしたコンデン
サを各画素電極に関連づけて設けることもできる。
【００３０】
フロート共通電極型ディスプレイは、例えば：
第１の電圧を供給するように設けた電圧源線と;
共通電極に接続した出力線と；
該電圧源線を該出力線に接続するか；あるいは、該出力線を該電圧源線から切り離すため
のスイッチング手段と；
該スイッチング手段に接続されていて、第１または第２の値を持つ制御信号を受け取るよ
うに設けた制御線と；を備え、
該スイッチング手段が、該制御信号が該第１の値を有するとき該出力線を該電圧源線に接
続し、該制御信号が該第２の値を有するとき該出力線を該電圧源線に接続するように構成
されたものである。
【００３１】
本発明の二重共通平面電圧型ディスプレイは、通常、第１および第２の電圧を供給する
ように構成されたバイアス電源回路を備え、かつこのディスプレイは、非書き込みモード
のときバイアス電源回路の電源を切る手段を備えることも可能である。画素電極は、バイ
アス電源回路の電源切断およびパワーアップ時に共通電極と同じ電圧を供給されるように
構成することができる。
【００３２】
本発明の可変共通平面電圧型ディスプレイは、上に述べた任意のタイプの電気光学媒質
を使用することが可能である。したがって、このディスプレイでは、電気光学層は、回転
２色部材またはエレクトロクロミックディスプレイ媒質、あるいは懸濁流体と該懸濁流体
に懸濁されていて電気泳動材料への電界印加時に該懸濁流体を通って移動することができ
る多数の荷電粒子とからなる粒子ベース電気泳動材料を使用することができる。このよう
な電気泳動媒質は、例えば、懸濁流体および荷電粒子が各々カプセル壁を持つ多数のカプ
セルに封入されたカプセル封入電気泳動材料、あるいは懸濁流体および荷電粒子が基板に
形成された多数のセル中に保持されたマイクロセル型電気泳動材料を用いことができる。
【００３３】
さらに、本発明は、双安定電気光学媒質層と；該電気光学媒質層の片側に配設されてい
て各々少なくとも１つの非線形素子と関連づけられた複数の画素電極と；該電気光学媒質
層の該画素電極と反対側に配設された共通電極と、を備えた電気光学ディスプレイを動作
させる方法を提供するものである。この方法は：
第１の電圧を共通電極に印加する一方、少なくとも２つの異なる電圧を異なる各画素電極
に印加することによって、電気光学媒質にイメージを書き込むことと；
前に該電気光学媒質に書き込まれたイメージが実質的に維持されるように該画素電極に印
加される電圧を制御しつつ、該第１の電圧と異なる第２の電圧を該共通電極に印加するこ
とと；を包含する。
【００３４】
さらに、本発明は、双安定電気光学媒質層と；該電気光学媒質層の片側に配設されてい
て各々少なくとも１つの非線形素子と関連づけられた複数の画素電極と；該電気光学媒質
層の該画素電極と反対側に配設された共通電極と；共通電極に電圧を供給するための電圧
源線と、を備えた電気光学ディスプレイを動作させる方法を提供するものである。この方
法は：
第１の電圧を共通電極に印加する一方、少なくとも２つの異なる電圧を異なる画素電極に
印加することによって、電気光学媒質にイメージを書き込むことと；
前に該電気光学媒質に書き込まれたイメージが実質的に維持されるように該画素電極に印
加される電圧を制御する一方、共通電極を電圧源線から切り離すことによって共通電極上
の電圧をフロート状態にすることと；を包含する。
【００３５】
前に述べたように、他のいくつかの本発明の局面は、電圧オフセットを測定し、補正す
るため装置および方法に関するものである。したがって、もう一つの局面において、本発
明は、電気光学ディスプレイであって：
双安定電気光学媒質層と；
該電気光学媒質層の片側に配設されていて、少なくとも１つがセンサ画素電極である複数
の画素電極と；
各該画素電極に関連づけられた少なくとも１つの非線形素子と；
該少なくとも１つのセンサ画素電極に所定の電圧を印加するように構成されていて、該非
線形素子を介して該画素電極に電圧を印加するための画素駆動手段と；
該電気光学媒質層の該画素電極と反対側に配設された共通電極と；
該所定の電圧と該少なくとも１つのセンサ画素の印加電圧を受け取って、これらの電圧間
の差を決定するように構成された測定手段と；を備えた電気光学ディスプレイにある。
【００３６】
また、本発明は、電気光学ディスプレイであって：
双安定電気光学媒質層と；
該電気光学媒質層の片側に配設された複数の画素電極と、
各該画素電極に関連づけられた少なくとも１つの非線形素子と；
該非線形素子を介して該画素電極に電圧を印加するように構成された画素駆動手段と；
該電気光学媒質層の該画素電極と反対側に配設された共通電極と；
少なくとも１つの電圧を供給するように設けた共通電極電圧源線と；
該電圧源線を該共通電極に接続するスイッチング手段であって、該電圧源線が該共通電極
に接続される動作状態と、該電圧源線が該共通電極から切り離されることにより共通電極
の電圧がフロート状態になる試験状態とを有するスイッチング手段と；を備え、
該画素駆動手段が、該スイッチング手段が該試験状態のとき、該非線形素子を介して単一
の所定電圧をすべての画素電極に供給するように構成されており、
該ディスプレは、該スイッチング手段が該試験状態のとき、該単一の所定電圧と該共通電
極の電圧を受け取って、これらの電圧間の差を決定するように構成された測定手段をさら
に備えた、電気光学ディスプレイにある。
【００３７】
また、本発明は、電気光学ディスプレイであって：
双安定電気光学媒質層と；
該電気光学媒質層の片側に配設されていて、少なくとも１つがセンサ画素電極である複数
の画素電極と；
各該画素電極に関連づけられた少なくとも１つの非線形素子と；
該少なくとも１つのセンサ画素電極に所定の電圧を印加するように構成されていて、該非
線形素子を介して該画素電極に電圧を印加するための画素駆動手段と；
該電気光学媒質層の該画素電極と反対側に配設された共通電極と；
該少なくとも１つのセンサ画素電極上の電圧を表す信号を受け取ると共に、該共通電極に
印加される電圧を該信号に基づいて変化させるように構成された共通電極電圧制御手段と
；を備えた電気光学ディスプレイにある。
【００３８】
さらに、本発明は、双安定電気光学媒質層と；該電気光学媒質層の片側に配設された複
数の画素電極と；該各画素電極と関連づけられた少なくとも１つの非線形素子と；該非線
形素子を介して該画素電極に電圧を印加するように構成された画素駆動手段と；該電気光
学媒質層の該画素電極と反対側に配設された共通電極と；を備えた電気光学ディスプレイ
を動作させる方法を提供するものである。この方法は：
画素駆動手段を用いてディスプレイのすべての画素電極に所定電圧を印加することと；
該所定電圧と、該画素電極への所定電圧印加時に該共通電極に現われる電圧との差を表す
値を保存することと；
その後、該保存した値に基づく電圧を該共通電極に印加する一方、イメージを電気光学媒
質に書き込ませる電圧を該画素電極に印加することと；を包含する。
（項目１）
電気光学ディスプレイであって：
双安定電気光学媒質層と；
該電気光学媒質層の片側に配設された複数の画素電極と、
各該画素電極に関連づけられた少なくとも１つの非線形素子と；
該非線形素子を介して該画素電極に電圧を印加するように構成された画素駆動手段と；
該電気光学媒質層の該画素電極と反対側に配設された共通電極と；
該共通電極に電圧を印加するように構成された共通電極制御手段（１００、２００、３
００、４００、６００、８００、９００、１０００）と；を備え、
該ディスプレイは、該画素駆動手段が少なくとも２つの異なる電圧を異なる各画素電極
に印加することによって、イメージを該電気光学媒質に書き込む書き込みモードと、該画
素駆動手段が、前に該電気光学媒質に書き込まれたイメージが実質的に維持されるように
、該画素電極に印加される電圧を制御する非書き込みモードとを有し、
該共通電極制御手段が、ディスプレイがその書き込みモードにあるとき第１の電圧を該
共通電極に印加し、ディスプレイがその非書き込みモードにあるとき該第１の電圧と異な
る第２の電圧を該共通電極に印加するように構成された；
電気光学ディスプレイ。
（項目２）
項目１に記載の電気光学ディスプレイであって、該ディスプレイは：
前記第１の電圧を供給するように設けた第１の電圧源線（１０２；４０２）と；
第２の電圧を供給するように設けた第２の電圧源線（１０４；４０４′）と；
出力線（１０６；４０６）と；
該第１および第２の電圧源線（１０２、１０４；４０４、４０４′）の一方を該出力線
（１０６；４０６）に接続するためのスイッチング手段（Ｓ１、Ｓ４）と；
該スイッチング手段（Ｓ１；Ｓ２）に接続されていて、第１または第２の値を持つ制御
信号を受け取るように設けた制御線（１０８；１０８′；４０８）と；を備え、
該スイッチング手段（Ｓ１、Ｓ２）が、該制御信号が該第１の値を有するとき該出力線
（１０６；４０６）を該第１の電圧源線（１０２；４０２）に接続し、該制御信号が該第
２の値を有するとき該出力線（１０６；４０６）を該第２の電圧源線（１０４；４０４′
）に接続するように構成された；
電気光学ディスプレイ。
（項目３）
前記出力線（１０６）を前記共通電極に接続した、項目２に記載の電気光学ディスプレ
イ。
（項目４）
前記出力線（１０６）は、該画素駆動手段の電圧範囲の中間点を制御するように配置され
ている、項目２に記載の電気光学ディスプレイ。
（項目５）
コンデンサを該各画素電極に関連づけて設け、該各コンデンサの一方の電極が共通電極
と同じ電圧を受け取るようにした、項目１に記載の電気光学ディスプレイ。
（項目６）
項目１に記載の電気光学ディスプレイであって、該ディスプレイは：
前記第１の電圧を供給するように設けた電圧源線（２０２）と；
前記共通電極に接続した出力線（２０６）と；
該電圧源線（２０２）を該出力線（２０６）に接続するか；あるいは、該出力線（２０
６）を該電圧源線（２０２）から切り離すためのスイッチング手段（Ｓ３）と；
該スイッチング手段（Ｓ３）に接続されていて、第１または第２の値を持つ制御信号を
受け取るように設けた制御線（２０８）と；を備え、
該スイッチング手段（Ｓ３）が、該制御信号が該第１の値を有するとき該出力線（２０
６）を該電圧源線（２０２）に接続し、該制御信号が該第２の値を有するとき該出力線（
２０６）を該電圧源線（２０２）に接続するように構成された；
電気光学ディスプレイ。
（項目７）
前記第２の電圧を受け取るように設けた各々対応するセンサ画素電極を有する少なくと
も１つのセンサ画素（４１４）をさらに備え、該少なくとも１つのセンサ画素（４０４）
が前記第２の電圧源線（４０４′）と接続された、項目３に記載の電気光学ディスプレイ
。
（項目８）
その正入力が前記少なくとも１つのセンサ画素（４１４）に接続され、かつその出力が
その負入力と前記第２の電圧源線（４０４′）の両方に接続された差動増幅器（４１６）
をさらに備えた、項目７記載の電気光学ディスプレイ。
（項目９）
該第１および第２の電圧を供給するように構成されたバイアス電源回路（Ｒ１、Ｒ２、
Ｒ４、Ｒ５、Ｒ６、Ｒ９、Ｒ１０、Ｃ１、Ｃ３、３３０）と、非書き込みモードのとき該
バイアス電源回路の電源を切るための手段とをさらに備えた、項目１に記載の電気光学デ
ィスプレイ。
（項目１０）
前記バイアス電源回路の電源オフおよびパワーアップ時に、前記画素電極が前記共通電
極と同じ電圧を受け取るように構成された、項目９に記載の電気光学ディスプレイ。
（項目１１）
前記電気光学層が、回転２色部材またはエレクトロクロミックディスプレイ媒質を備え
た、項目１に記載の電気光学ディスプレイ。
（項目１２）
前記電気光学層が粒子ベース電気泳動材料を備え、該電気泳動材料が、懸濁流体と、該
懸濁流体に懸濁されていて該電気泳動材料への電界印加時に該懸濁流体を通って移動する
ことができる多数の荷電粒子とを備える、項目１に記載の電気光学ディスプレイ。
（項目１３）
前記電気泳動材料が、懸濁流体および荷電粒子が各々カプセル壁を持つ多数のカプセル
に封入されたカプセル封入電気泳動材料である、項目１２に記載の電気光学ディスプレイ
。
（項目１４）
前記懸濁流体および荷電粒子が基板に形成された多数のセル中に保持された、項目１２
に記載の電気光学ディスプレイ。
（項目１５）
双安定電気光学媒質層と；該電気光学媒質層の片側に配設されていて各々少なくとも１
つの非線形素子と関連づけられた複数の画素電極と；該電気光学媒質層の該画素電極と反
対側に配設された共通電極と、を備えた電気光学ディスプレイを動作させる方法であって
：
第１の電圧を共通電極に印加する一方、少なくとも２つの異なる電圧を異なる画素電極
に印加することによって、電気光学媒質にイメージを書き込むことと；
前に該電気光学媒質に書き込まれたイメージが実質的に維持されるように該画素電極に
印加される電圧を制御しつつ、該第１の電圧と異なる第２の電圧を該共通電極に印加する
ことと；
を包含する、方法。
（項目１６）
双安定電気光学媒質層と；
該電気光学媒質層の片側に配設されていて各々少なくとも１つの非線形素子と関連づけ
られた複数の画素電極と；該電気光学媒質層の該画素電極と反対側に配設された共通電極
と；共通電極に電圧を供給するための電圧源線と、を備えた電気光学ディスプレイを動作
させる方法であって：
第１の電圧を共通電極に印加する一方、少なくとも２つの異なる電圧を異なる画素電極
に印加することによって、電気光学媒質にイメージを書き込むことと；
前に該電気光学媒質に書き込まれたイメージが実質的に維持されるように該画素電極に
印加される電圧を制御する一方、共通電極を電圧源線から切り離すことによって共通電極
上の電圧をフロート状態にすることと；
を包含する方法。
（項目１６）
電気光学ディスプレイであって：
双安定電気光学媒質層と；
該電気光学媒質層の片側に配設されていて、少なくとも１つがセンサ画素電極（４１４
）である複数の画素電極と；
該各該画素電極に関連づけられた少なくとも１つの非線形素子と；
該少なくとも１つのセンサ画素電極に所定の電圧を印加するように構成されていて、該
非線形素子を介して該画素電極に電圧を印加するための画素駆動手段と；
該電気光学媒質層の該画素電極と反対側に配設された共通電極と；
該所定の電圧と該少なくとも１つのセンサ画素の印加電圧を受け取って、これらの電圧
間の差を決定するように構成された測定手段と；
を備えた、電気光学ディスプレイ。
（項目１７）
電気光学ディスプレイであって、該ディスプレイは、
双安定電気光学媒質層と；
該電気光学媒質層の片側に配設された複数の画素電極と；
該各該画素電極に関連づけられた少なくとも１つの非線形素子と；
該非線形素子を介して該画素電極に電圧を印加するように構成された画素駆動手段と；
該電気光学媒質層の該画素電極と反対側に配設された共通電極と；
少なくとも１つの電圧を供給するように設けた共通電極電圧源線（２０２）と；
該電圧源線（２０２）を該共通電極に接続するスイッチング手段（Ｓ３）であって、該
電圧源線（２０２）が該共通電極に接続される動作状態と、該電圧源線（２０２）が該共
通電極から切り離されることにより共通電極の電圧がフロート状態になる試験状態とを有
するスイッチング手段（Ｓ３）と；を備え、
該画素駆動手段が、該スイッチング手段が該試験状態のとき、該非線形素子を介して単
一の所定電圧をすべての画素電極に供給するように構成されており、
該ディスプレイは、該スイッチング手段（Ｓ３）が該試験状態のとき、該単一の所定電
圧と該共通電極の電圧とを受け取って、これらの電圧間の差を決定するように構成された
測定手段（７２６）をさらに備えた、電気光学ディスプレイ。
（項目１８）
電気光学ディスプレイであって：
双安定電気光学媒質層と；
該電気光学媒質層の片側に配設されていて、少なくとも１つがセンサ画素電極（４１４
）である複数の画素電極と；
該各該画素電極に関連づけられた少なくとも１つの非線形素子と；
該少なくとも１つのセンサ画素電極に所定の電圧を印加するように構成されていて、該
非線形素子を介して該画素電極に電圧を印加するための画素駆動手段と；
該電気光学媒質層の、該画素電極と反対側に配設された共通電極と；
該少なくとも１つのセンサ画素電極（４１４）上の電圧を表す信号を受け取ると共に、
該共通電極に印加される電圧を該信号に基づいて変化させるように構成された共通電極電
圧制御手段（８３０、７２０′、７２２′）と；
を備えた、電気光学ディスプレイ。
（項目１９）
双安定電気光学媒質層と；
該電気光学媒質層の片側に配設された複数の画素電極と；
該各該画素電極に関連づけられた少なくとも１つの非線形素子と；
該非線形素子を介して該画素電極に電圧を印加するように構成された画素駆動手段と；
該電気光学媒質層の該画素電極と反対側に配設された共通電極と；
を備えた電気光学ディスプレイを動作させる方法であって、該方法は：
該画素駆動手段を用いてディスプレイのすべての該画素電極に所定電圧を印加すること
と；
該所定電圧と、該画素電極への該所定電圧の印加時に該共通電極に現われる電圧との差
を表す値を保存することと；
その後、該保存した値に基づく電圧を該共通電極に印加する一方、イメージを該電気光
学媒質に書き込ませる電圧を該画素電極に印加することと；
を包含する、方法。
【図面の簡単な説明】
【００３９】
【図１】図１は、本発明の二重共通平面電圧型ディスプレイの部分回路図である。
【図２】図２は、本発明のフロート共通電極型ディスプレイの部分回路図である。
【図３】図３は、大きいアクティブマトリクスディスプレイで図１の基本回路および本発明の他の態様を実施するための原型回路を示す部分回路図である。
【図４】図４は、センサ画素を使用した図１の二重共通平面電圧型ディスプレイの変更態様を示す部分回路図である。
【図５】図５は、フィードスルー電圧を測定するための手段を備えたディスプレイの部分回路図である。
【図６】図６は、フィードスルー電圧を測定するための手段を備えた図２のディスプレイの修正態様を示す部分回路図である。
【図７】図７は、フィードスルー電圧を補償するための外部装置を付加して修正した本発明のディスプレイの部分回路図である。
【図８】図８は、センサ画素を用いてフィードスルー電圧の補償を内部的に行うようにした本発明のディスプレイの部分回路図である。
【図９】図９は、フィードスルー電圧を補償するための手段を備えた図１のディスプレイの修正態様を示す部分回路図である。
【図１０】図１０は、フィードスルー電圧の補償をディジタル方式で行うようにした本発明のディスプレイの部分回路図である。
【発明を実施するための形態】
【００４０】
既に述べたように、本発明は、電気光学ディスプレイおよびディスプレイの電極電圧を
制御する方法に関し、かつこのようなディスプレイにおけるフィードスルー電圧を測定し
、補正する技術に関していくつもの異なる態様がある。本発明のこれら種々の局面につい
て、以下、広義に説明するが、一つのディスプレイで本発明の１以上の局面を用いること
が可能なことは理解されよう；例えば、図６のディスプレイでは、本発明におけるフロー
ト共通電極型ディスプレイおよびフィードスルー電圧測定の両方を使用する。
【００４１】
上に述べたように、本発明で取り扱おうとする主な課題は、ドライバ回路が電気光学デ
ィスプレイの非線形素子に印加する電圧間にゲートフィードスルーによって生じる差にあ
る（以下、これらの電圧は、既に述べたように、ある一時点で書き込みを行うのにアクテ
ィブマトリクスディスプレイの１本の画素行を選択し、次に、選択された行の画素に所望
の遷移を生じさせるのに必要な種々の電圧（以下に、これらの電圧を「画素電極電圧」と
も称する）を画素電極に生じさせるために必要な種々の電圧を列（データ）電極に印加す
ることは、基本的には任意であるが、一般的に行われているので、「カラムドライバ電圧
」と称することもある）。
【００４２】
図１は、本発明の好ましい二重共通平面電圧型ディスプレイの部分回路図で、共通電極
制御手段が図解されている（全体を符号１００で示す）。この制御手段１００は、第１の
電圧源線１０２、第２の電圧源線１０４および出力線１０６を備える。制御手段１００は
、さらに、第１の電圧源線１０２と出力線１０６との間に介設された第１のスイッチＳ１
、および第２の電圧源線１０２と出力線１０６との間に介設された第２のスイッチＳ２の
形のスイッチング手段を備える。図１に示すように、スイッチＳ１およびＳ２は制御線１
０８に接続されており、スイッチＳ２は線１１０を介して直接制御線１０８に接続される
一方、スイッチＳ１はインバータ１１２を介して制御線１０８に接続されている。出力線
１０６は、双安定電気光学ディスプレイの共通電極（図示省略）に接続されている。
【００４３】
電圧源線１０２および１０４は共にバイアス電源回路（図示省略、アクティブマトリク
スディスプレイの当業者には周知の従来タイプのもの）に接続されている。バイアス電源
回路は、ディスプレイの書き込み（走査）モード時の共通電極の正しい電圧であり、実質
的に画素電極電圧範囲の中間値である電圧ＶＣＯＭを線１０２に供給する。また、バイア
ス電源回路は、ディスプレイの非書き込みモード時の共通電極の正しい電圧であり、実質
的にカラムドライバ電圧範囲の中心値に設定される電圧ＶＳＭを線１０４に供給する。し
たがって、電圧ＶＣＯＭとＶＳＭは、ディスプレイのゲート供給電圧と等しい大きさだけ
異なる。
【００４４】
制御線１０８は、制御回路（図示省略）から１つの２状態制御信号を受け取り、この制
御信号は、ディスプレイの書き込み時に第１の値、ロー値あるいは書き込み指示値を持ち
、ディスプレイが書き込み時以外は第２の値、ハイ値あるいは非書き込み指示値を持つ。
ディスプレイが書き込みモード（すなわち、イメージ更新中）のときは、制御線１０８上
の制御信号はローに保たれて、スイッチＳ１が閉じられ、スイッチＳ２が開かれ、出力線
１０６および共通電極は直接第１の電圧源線１０２に接続されて電圧ＶＣＯＭを受け取る
。他方、ディスプレイが非書き込みモードの（すなわち、イメージが更新中でない）とき
は、制御線１０８上の制御信号はハイに保たれて、スイッチＳ１が開かれ、スイッチＳ２
が閉じられ、出力線１０６および共通電極は直接第２の電圧源線１０４に接続されて電圧
ＶＳＭを受け取る。また、この非書き込みモード時には、カラムドライバはすべての画素
電極を電圧ＶＳＭにし、その結果画素電極と共通電極の間の電圧はゼロになる。
【００４５】
すでに述べたように、図１の回路の出力線１０６は、関連したディスプレイの共通電極
に接続される。しかしながら、他の態様において、出力線１０６は、カラムドライバが使
用する電圧範囲の中間値を制御するために用いられる回路に接続することも可能である。
このような形で出力線を接続する場合、制御信号は上に図１を参照して説明した信号を反
転させた極性にして、出力線１０６が、ディスプレイが書き込みモードのとき電圧ＶＳＭ
を受け取り、ディスプレイが非書き込みモードのとき電圧ＶＣＯＭを受け取るようにする
べきである。（あるいは、もちろんのことであるが、上に図１を参照して説明したのと同
じ制御信号のままで、制御線１０８とスイッチＳ１およびＳ２との接続関係を逆にして、
Ｓ１が直接制御線１０８に接続され、Ｓ２がインバータ１１２を介して制御線１０８に接
続されようにすることによっても、同じ結果を達成することができよう。）この場合、共
通電極は常時ＶＣＯＭを受け取ることになる。
【００４６】
出力線１０６が共通電極に接続されているか、あるいはカラムドライバの使用電圧範囲
の中間値を制御するために用いられる回路に接続されているかどうかにかかわらず、例え
ば前記の国際出願公開第ＷＯ  ００/６７３２７号に記載されているように、画素電極が
関連したデータ記憶コンデンサを備えている場合は、画素コンデンサの対向電極（すなわ
ち、関連した画素電極と同じ電圧にないコンデンサ電極）に共通電極に供給されている電
圧と同じ電圧を供給することが望ましい。
【００４７】
出力線１０６をディスプレイの共通電極に接続した図１に示す回路は、ディスプレイの
書き込みモードと非書き込みモードとの遷移時に、電気光学媒質が若干の望ましくない小
さな電圧過渡変化を経ることがある。例えば、ディスプレイを動作させる好ましい方法に
おいては、ディスプレイが非書き込みモードに切り換わる前の最後の走査と同時に、すべ
てカラムドライバが電圧ＶＳＭにセットされる。前に説明した理由で、実際の画素電圧は
、ディスプレイはこの時点で依然ゲートフィードスルー下にあるため、ＶＳＭとはわずか
に異なり、画素電圧は、実際、ＶＣＯＭ、すなわち、この走査時に共通電極に印加される
のと同じ電圧に等しくなる。次に、回路１００によって共通電極がすぐに電圧ＶＳＭに切
り換えられると、電気光学媒質は、画素電極にあるゲートフィードスルー電圧と等しい過
渡変化を経、この過渡変化は、画素電極が画素トランジスタおよび電気光学媒質を通して
のリーク電流により電圧ＶＳＭまで充電されるにつれて、次第に衰微する。この電圧過渡
変化をなくし、あるいは可能な限りこれを小さくすることが望ましいことは明らかである
。同様に、ディスプレイが非書き込みモードから書き込みモードに切り換わるときにも、
小さい電圧過渡変化が生じる。図１に示す回路を用いてカラムドライバの使用電圧範囲の
中間値を制御すると、ディスプレイが書き込みモードから非書き込みモードに、あるいは
その逆方向に切り換わる際、このような電圧過渡変化は全く生じない。
【００４８】
図２は、本発明の好ましいフロート共通電極ディスプレイの部分回路図で、共通電極制
御手段が図解されている（全体を符号２００で示す）。この制御手段２００は、総じて図
１に示す制御手段１００と類似しており、バイアス制御回路（図示省略）によって電圧Ｖ
ＣＯＭが供給される電圧源線２０２、ディスプレイの共通電極（図示省略）に接続された
出力線２０６、これらの２本の線を接続するスイッチＳ３、およびスイッチＳ３の動作を
制御する制御線２０８を備える。図２の制御手段２００では、制御手段１００にあるイン
バータ１１２が省かれているので、線２０８上の制御信号は制御線１０８上の制御信号に
対して反転させて、ディスプレイの書き込みモード時にスイッチＳ３が閉じられ、共通電
極がスイッチＳ３および出力線２０６を介して電圧源線２０２からＶＣＯＭを受け取るよ
うにする必要がある。
【００４９】
ディスプレイが非書き込みモードのときは、スイッチＳ３が開き、そして共通電極はバ
イアス電源回路から切り離されて、「フロート」状態になる。このように共通電極がフロ
ート状態のとき、前に述べたようにすべての列電極が電圧ＶＳＭに保たれていると、画素
トランジスタおよび電気光学媒質を通って流れるリーク電流が、結局のところ画素電極お
よび共通電極を両方共電圧ＶＳＭまで充電し、その結果、電気光学媒質にかかる電界がゼ
ロになる。ここで、駆動手段１００の場合同様に、図２に示す駆動手段２００もディスプ
レイが書き込みモードと非書き込みモードとの間で切り換わる際、小さい電圧過渡変化を
生じ、この過渡変化が、画素電極と共通電極上の電圧が等しくなるか、あるいはすでに述
べた方法でリセットされるまで持続するということは明らかであろう。
【００５０】
図３は、大きいアクティブマトリクスディスプレイで図１の基本回路および本発明の他
の態様を実施するための原型回路(全体を符号３００で示す）を示す部分回路図である。
ここでは、図３の回路で図１の回路に類似した部分のみ説明し、図３の残りの部分につい
ては、本発明におけるそれらの部分の実施態様との関連で後ほど説明する。
【００５１】
回路３００は、図１のそれぞれ対応する線と全く同様の制御線１０８′および線１１０
′を有する。また、回路３００は、図１のインバータ１１２と類似したインバータ１１２
′を有するが、このインバータは型番ＮＣ７ＳＺ０４Ｍ５の集積回路（ＩＣ）を使用した
ものである。このＩＣのピン１上の反転出力は、ＤＧ２０１Ｂ型のクァドスイッチである
ＩＣ３２０のピン８（Ｃ４）に供給される。線１１０′は同じチップのピン１（Ｃ１）に
接続されている。ＩＣ３２０のＳ４／Ｄ４／Ｃ４（ピン６、７および８）の部分は図１の
スイッチＳ１に対応し、ＩＣ３２０のピン７（Ｄ４）は出力線１０６′に接続され、他方
出力線１０６′はディスプレイの共通電極に接続されている。
【００５２】
また、図３には、本発明の共通電極制御手段が使用する入力電圧ＶＣＯＭおよびＶＳＭ
を発生させるために用いられるバイアス制御回路の一部が図解されている。図３の右下部
に示すように、カラムドライバを駆動するのに使用される最も高い電圧である信号ＶＳＨ
は、同じ値の抵抗器Ｒ５およびＲ６からなる分圧器に供給され、これらの抵抗器Ｒ５とＲ
６との間の電圧は、ＶＳＨの２分の１であって、ＯＰＡ４２４３クァド演算増幅器である
ＩＣ３３０のピン１０（正入力）に供給される。この結果得られるＩＣ３３０のピン８上
の増幅器出力は、ピン９の負入力にフィードバックされ、また抵抗器Ｒ４およびコンデン
サＣ３からなる回路にも供給され、このＲＣ回路には、以下に説明するように、回路３０
０の随所で使用する電圧を得るための引き出し部が抵抗器Ｒ４とコンデンサＣ３との中間
に設けられている。コンデンサＣ３は、通常の如く、電圧ＶＳＭを安定させるための電荷
溜めとしての役割を果たす。
【００５３】
このように作り出された電圧ＶＳＭは、ＩＣ３２０のピン１１（Ｓ３）に供給される；
ハイ電圧のイネーブル（ＨＶＥＮ）信号（ドライバ回路のパワーアップまたはパワーダウ
ン動作を制御するために使われる）がＩＣ３２０の対応する制御ピン９（Ｃ３）に供給さ
れ、その結果得られるピン１０（Ｄ３）上の出力は出力線１０６′に接続される。電圧Ｖ
ＳＭは、ポテンシオメータＲ９および抵抗器Ｒ１０よりなる可変分圧器にも供給され、こ
れらのＲ９とＲ１０との間にある電圧は、ＶＣＯＭ_ＲＥＦという名称の信号として、抵
抗器Ｒ１を介しＩＣ３３０のピン３（正入力）に供給される。これに対応するＩＣ３３０
のピン１上の出力は、ＩＣ３３０のピン２の負入力にフィードバックされ、また、ＶＣＯ
Ｍ_ＤＲＩＶＥという名称の信号としてＩＣ３２０のピン６（Ｓ４）にも供給される。
【００５４】
線１０６′上の信号は（前に述べたように、これは、線１０８′上の制御信号の値によ
って電圧ＶＣＯＭまたはＶＳＭを持つ）、ＩＣ３３０のピン５（正入力）に供給される。
これに対応するＩＣ３３０のピン７上の出力は、ＩＣ３３０のピン６の負入力にフィード
バックされ、また、ＶＣＯＭ_ＰＡＮＥＬ_ＢＵＦ３という名称の信号として、ＩＣ３２０
のピン２（Ｓ１）にも供給される。すでに述べたように、ＩＣ３２０のピン１（Ｃ１）に
は、制御線１０８′から線１１０′を介して信号が供給される。これに対応するＩＣ３２
０のピン２（Ｄ１）上の出力は、抵抗器Ｒ２およびコンデンサＣ１よりなる回路に供給さ
れ、これらの抵抗器Ｒ２とコンデンサＣ１との間にある電圧は、前記の信号ＶＣＯＭ_Ｒ
ＥＦとしてＩＣ３３０のピン３に供給される。コンデンサＣ１は、通常の如く、電圧Ｖ］
ＣＯＭ_ＲＥＦを安定させるための電荷溜めとしての役割を果たす。（図３に示す回路は
、量産のためというよりむしろ実験目的使用するためのものであり、したがって、種々異
なる形態で使用するべく構成することができる。この回路は、通常は、一時にはＲ１およ
びＲ２のどちらか一方しかないように設計される。Ｒ２があってＲ１がない場合、回路は
、以下に述べる図９の回路と実質的に同様に機能することができる；Ｒ１があってＲ２が
ない場合、回路は、以下に述べる図７の回路と実質的に同様に機能する。）
添付図面の図４に示す共通電極制御手段（全体を符号４００で示す）は、図１に示す制
御手段１００の別態様であり、この態様では、ディスプレイ自体に配設された１つ以上の
「センサ」画素を利用する。制御手段４００は、線４０２、４０６、４０８および４１０
、インバータ４１２、スイッチＳ１およびＳ２を備え、これらすべて、図１に示す制御手
段１００の対応する符号の要素と実質的に同様に機能する。しかしながら、この場合、バ
イアス制御回路によって制御手段４００の第２の電圧入力４０４′に電圧ＶＳＭが供給さ
れるだけではない；それ以外に、センサ画素４１４上の電圧が差動増幅器４１６の正入力
に供給され、かつこの増幅器の出力がその負入力と線４０４′の両方に供給されるように
なっている。
【００５５】
センサ画素４１４は、ディスプレイ上都合のよい場所、または通常ユーザーが見るディ
スプレイの部分の外にある行あるいは列に配置する。例えば、センサ画素４１４は、通常
ディスプレイの溝縁（ｂｅｚｅｌ）に隠れる余分の画素行として設けることもできよう。
このディスプレイの制御回路は、センサ画素の画素電極に常時電圧ＶＳＭが書き込まれ、
その電圧が、上に説明したように、逆に第２の電圧源線４０４′にフィードバックされる
ように構成されている。
【００５６】
電気光学ディスプレイの駆動技術の当業者にとっては自明であるように、制御手段４０
０は、図１に示す制御手段１００と全く同様に動作する。差動増幅器４１６は、センサ画
素４１４からの電圧を緩衝する役割を果たす。ディスプレイが書き込みモードのときは、
図１に示す制御手段１００の場合、同様に、スイッチＳ１が閉じられ、スイッチＳ２が開
かれて、共通電極に電圧ＶＣＯＭが供給される。ディスプレイが書き込みモードから非書
き込みモードに切り換わるべきときは、ディスプレイの最後の走査の終了時に、制御信号
がハイになって、スイッチＳ１が開かれ、スイッチＳ２が閉じられるようになっている。
この時点で、センサ画素４１４の上の電圧はＶＣＯＭに等しく、共通電極は増幅器４１６
の出力に接続されるので、電圧過渡変化は発生しない。その後、ディスプレイの画素電極
が、センサ画素４１４を含め、前に説明したようにして画素トランジスタを通って流れる
リーク電流により電圧ＶＳＭまで徐々に充電される際に、センサ画素４１４と共通電極と
の接続によって共通電極上の電圧は必ず画素電極上の電圧に正しく追随するので、電気光
学媒質には全く電界がかからない。しかしながら、ディスプレイが非書き込みモードから
書き込みモードに切り換わるときに、小さい電圧過渡変化が生じる。
【００５７】
センサ画素に常に電圧ＶＳＭが書き込まれるような構成では、制御手段４００は、共通
電極が常にセンサ画素４１４に接続されるように修正することもできる。この構成は、共
通平面電圧が自己微調整することが可能になるという付加的長所を有する。センサ画素を
１つしか使用せず、ディスプレイが非書き込みモードのときこの画素上の電圧を共通電極
に送る（制御手段４００の場合同様）だけでならば、センサ画素は専用のセンサ画素では
なく、アレイ中の通常の画素（すなわち、イメージ画素）を使用することが可能である。
【００５８】
図１乃至４に示す本発明の実施形態はアナログ回路に基づくものである。しかしながら
、本発明の可変共通平面電圧型ディスプレイで必要な共通平面電圧の制御は、デジタル方
式でも行うことができる。例えば、共通電極をデジタル-アナログ変換器（ＤＡＣ）の出
力に接続し、この出力をディスプレイコントローラにより制御することもできる。このよ
うにして、共通平面電圧は、ディスプレイの書き込みモードにおいても非書き込みモード
においても、所望の任意の値にセットすることが可能である。しかしながら、このデジタ
ル方式の実施形態に必要なハードウェアは、通常、上に説明したアナログ方式の実施形態
に必要なハードウェアより高価であり、また、ドライバをパワーダウンする際、共通電極
をドライバ中間電圧の定勾配（ｒａｍｐｉｎｇ）降下に追随させるように構成することは
より困難であり、かつ誤差が生じやすい。
【００５９】
本発明の他の実施形態においては、共通平面電圧、またはディスプレイの非書き込みモ
ード時に画素電極に印加される電圧をソフトウェア設計により設定することで、前に説明
したアナログ回路を省くことが可能である；その代わりに、共通平面電圧、または非書き
込みモード時に画素電極に印加される電圧を電気光学媒質の両面間にかかる電界が最小と
なるように選択する。通常、最近のデジタルドライバ回路を用いる場合は、特にドライバ
のデジタル分解能が高い場合、ＶＳＭよりＶＣＯＭに近いデジタル電圧が利用可能である
。例えば、カラムドライバが、ＶＳＭが１５ボルトとなるように０〜３０ボルトの範囲の
電圧を使用するディスプレイを考え、ＶＣＯＭが１４ボルト（１５ボルトからゲートフィ
ードスルーにより生じる１ボルトを減じた値）で、ドライバが６ビットの電圧分解能およ
び全線形電圧制御が可能であると仮定する。この場合に、カラムドライバの出力が非書き
込みモード時にＶＳＭ（１５ボルト）のままに保たれると、電気光学媒質には画素電極と
共通電極との間の１ボルトの電圧差に起因する電界がかかることになる。しかしながら、
カラムドライバは１４.０６３ボルト（ＶＳＭから２デジタルステップ下）の電圧を出す
ことができ、この電圧を非書き込みモード時に画素電極に印加すれば、電気光学媒質は画
素電極と共通電極との間の６３ミリボルトの電圧差により生じる電界がかかるだけである
。このように著しく小さくなった電界が電気光学媒質の両面間にかかっても、ほとんどの
場合受容可能であろう。
【００６０】
言い換えると、多くの場合、デジタル的に達成可能なカラムドライバの電圧として、デ
ィスプレイの非書き込みモードで共通平面電圧に最も近いデジタル的に達成可能な電圧を
選択することによって、ディスプレイ非書き込みモード時に電気光学媒質の両面間にかか
る電界を著しく小さくすることができる。
【００６１】
既に述べたように、本発明の可変共通平面電圧型ディスプレイは、ディスプレイの非書
き込みモード時にバイアス電源回路の電源を切るための手段（上に述べた図３の信号ＨＶ
ＥＮの使用を参照）を備えることができ、それによってさらに相当の節電効果を得ること
が可能である。しかしながら、バイアス電源回路の電源を切る場合は、バイアス電源回路
の電源オフおよびパワーアップ時に常に、共通平面電圧が画素電極上の電圧と大きく異な
らないようにすることが非常に望ましい。これは、バイアス電源回路の電源オフおよびパ
ワーアップ時に、カラムドライバが画素電極を電圧ＶＳＭで駆動するままにしておくこと
により達成することが可能である。このようにする場合、共通電極は電圧ＶＳＭに直接接
続するか、あるいはこの電圧が変化する際それに追随するようにするべきである。これは
、例えば、図１および２に示す回路のどちらかを用いて達成することができる。図１の回
路を用いる場合、共通電極を簡単に電圧ＶＳＭに切り換えることができよう。図２の回路
を用いる場合、パワーアップ時に電圧ＶＳＭが変化する際、共通電極がフロート状態にな
るようにする。これらの回路はどちらも、電気光学媒質が経る電圧過渡変化を最小にする
ものではあるが、図４に示す回路では、このような過渡変化が完全に排除されると思われ
る。ＤＡＣを使用して共通平面電圧を制御することは、このような構成では困難な場合が
ある。
【００６２】
バイアス電源回路の電源がオフになったならば、論理回路の電源もオフにすることがで
き、その後、通常制御回路の一部として使用される演算増幅器およびアナログスイッチの
電源も切ることができる。所要の動作シーケンスを達成するためには、ディスプレイの電
子機器に適切な電源逐次開閉制御ハードウェアを備え、またディスプレイコントローラに
適切なソフトウェアを備えることが必要である。
【００６３】
ディスプレイドライバ技術の当業者ならば、バイアス電源回路およびドライバをパワー
ダウンした後ディスプレイをパワーアップする場合、システムは、再度電源が立ち上がっ
て、電気光学媒質上のイメージの更新を再開することができるまでにかなりの時間（おそ
らく１０〜１００ミリ秒）を必要とすることは理解されよう。一部の用途では（例えば、
ディスプレイが空港、鉄道の駅あるいはこれらと類似した場所の案内板として使用される
場合）、この結果による遅延は苦情が出るほどのものではない。しかしながら、他の用途
においては（例えば、ディスプレイが電子ブックとして使用される場合）、この結果によ
る遅延は、しばしば繰り返されると、不満を招く可能性がある。上記の後者の用途では、
バイアス電源回路およびドライバが電源オンのままに保たれるディスプレイの基本的非書
き込みモードで得られる応答性と、バイアス電源回路および／またはドライバがパワーダ
ウンされる「スリープ」モードで得られるいっそうの節電効果との間の合理的な妥協点は
、イメージ更新がそれ以上必要でなくなった時点ですぐにディスプレイが基本的非書き込
みモードになり、他方、基本的非書き込みモードが相当の期間時持続した場合にのみディ
スプレイがスリープモードになるようにすることである。例えば、ディスプレイを電子ブ
ックとして用いる場合は、スリープモードに入る前の遅延を、イメージが与える一つのペ
ージをユーザーが読んでいる間は、ディスプレイがスリープモードに入らないように（次
のページへの更新がほぼ瞬時に行われるように）、他方、ユーザーが例えば電話に応対す
るために、数分の間読書を中断する際には、ディスプレイがスリープモードに入るように
、選択することができよう。あるいは、ディスプレイがホストシステムの制御下にある場
合（例えば、ディスプレイがポータブルコンピュータまたは携帯電話の補助画面として使
用されている場合）は、バイアス電源回路およびドライバのパワーダウンをそのホストシ
ステムにより制御することも可能である；この場合、ホストシステムは、新しいイメージ
をディスプレイに送る前のディスプレイのパワーアップに要する遅延を見込む必要がある
ことに留意するべきである。
【００６４】
これまでの説明から、本発明の可変共通平面電圧型ディスプレイの好ましい実施形態は
、ディスプレイに書き込み済みのイメージに影響を及ぼすことなく、また電気光学媒質を
該媒質に悪影響を及ぼす可能性がある電圧過渡変化にさらすことなく、電気光学ディスプ
レイの電力消費を大幅に低減するための装置および方法にあることは明らかであろう。
【００６５】
これまでの説明は、ゲートフィードスルー電圧が既知のときに該電圧の影響を補償する
ための本発明の装置および方法を中心に行った。例えば、図１に示す制御手段１００の動
作に関する前記説明では、ゲートフィードスルー電圧（ＶＣＯＭとＶＳＭとの差）、した
がってＶＣＯＭに割り当てる適切な値が既知であり、第１の電圧源線に電圧ＶＣＯＭを発
生させるための適切な回路が入手可能であると仮定した。次に、ゲートフィードスルー電
圧を測定し、かつゲートフィードスルー電圧を補償するための適切な電圧が確実に得られ
るようにディスプレイ回路を調整するための方法に重点を置いて説明する。
【００６６】
ここでまず取り組むべき課題は、パネル、ドライバ、走査速度、およびその他の関連要
因の任意の特定の組み合わせについて、フィードスルー電圧の大きさを正確に測定するこ
とである。本発明は、他の技術方法を使用することを排除するものではないが、望ましい
フィードスルー電圧測定方法としては、センサ画素によるものとフロート共通電極による
方法の２つがある。
【００６７】
センサ画素による方法は、ディスプレイ上の１つ以上のセンサ画素を使用するもので、
これらの画素の唯一の目的は必要なフィードスルー電圧の表示を得ることである。例えば
、既に図４を参照して説明したように、設計に基づく能動画素領域（すなわち、ディスプ
レイのイメージ表示に使用される部分）の端縁外の画素アレイの端縁に１つ以上の画素を
付加することができよう。これらのセンサ画素は、導電路が測定系への相互接続部が形成
されたパネルの端縁上の場所にセンサ画素を接続すること以外、能動画素とまったく同じ
である。パネルの上のすべてのセンサ画素は一まとめに配線することができ、コントロー
ラによってパネル走査時に同じ電圧値で更新されることになろう。画素を更新するために
使用される所望値とセンサ画素から入力される測定値との差を測定することによって、フ
ィードスルー電圧のための代表値が得られる。
【００６８】
図５に、このための簡単な回路（全体を符号５００で示す）を示す。図５を図４と比較
するならば、図５の回路は、最終出力信号の行先以外、図４の制御手段４００の部分と実
質的に同じであることは明らかであり、図５での符号の重複使用を避けるため、図４と同
じ構成要素については同じ参照符号で示してある。図５の回路は、複数のセンサ画素４１
４および差動増幅器４１６を有する。しかしながら、増幅器４１６からの出力は線４０４
″を介して測定回路へ送られる。制御手段４００と回路５００との関係から考えて、上に
述べたセンサ画素による測定方法は、制御手段４００の線４０４″を一時的に測定回路に
接続する一方、ゲートフィードスルー電圧測定を行い（この測定時にはスイッチＳ１が開
いているので、この場合線４０２は接続する必要はない）、その後、線４０２の電圧ＶＣ
ＯＭをゲートフィードスルー電圧の測定値に従って調整することにより実施することもで
きるということは理解されよう。
【００６９】
もう一つの態様においては、ゲートフィードスルー電圧は、共通電極をフロートさせる
（すなわち、共通電極をすべての導体から切り離す）と共に、電気光学媒質層を通って流
れるリーク電流が共通電極を画素電極電圧に等しい電圧に充電するのに十分な長さの期間
にわたって、画素電極アレイ全体を更新することにより測定することが可能である。この
後、測定回路が、列ドライバ電圧（走査時にソース線を駆動するために用いられる電圧）
とフロート共通電極からの出力電圧との差を測定し、これによってゲートフィードスルー
電圧の面積加重平均を求めることができる。
【００７０】
図６は、この測定要領を行うための簡単な回路を示す（全体を符号６００で示す）。図
６を図２および５と比較することによって、回路６００は、基本的に、図２の制御手段２
００に差動増幅器４１６′およびこの増幅器から測定回路に至る線行４０４″を付加して
修正したものであることは明らかであり、増幅器４１６′、線４０４″および測定回路は
図５で対応する符号持つ要素と同様に動作し、図６の種々の符号は図５に対応させて付し
てある。この測定要領は、図２に示す制御手段２００の出力線２０６を差動増幅器および
測定回路からなる適切な試験装置に一時的に接続することにより行うことが可能である。
この測定要領を行っている間は、線２０８上の制御信号を、スイッチＳ３を開き、したが
って共通電極をその駆動回路から切り離すように設定するべきである。同様に、Ｓ３は、
前に説明したように、これを用いてディスプレイを「スリープ」状態にすることもできる
。
【００７１】
上記のセンサ画素またはフロート共通電極による測定方法では、ゲートフィードスルー
電圧の測定値の誤差を避けるために、センサ画素あるいは共通電極からの出力電圧を測定
する方法で、リーク電流が非常に小さい方法が必要である。このような電圧測定のために
望ましい一つの方法として、センサ画素または共通電極と測定回路との間に高インピーダ
ンス電圧フォロワ回路を接続する方法がある。
【００７２】
次に、電圧入力を測定ゲートフィードスルー電圧に合わせて調整するための方法につい
て説明する。フィードスルー電圧を補償する（かつさらに言えば、このような電圧を測定
する）ための最も簡単な方法は、ディスプレイにそのドライバ一式を組み付けた後、ディ
スプレイを外部装置に接続する方法である。添付図面の図７は、この目的のために図２に
示す形の基本的な制御手段に組み込まれた適切な回路を示し（全体を符号７００で示す）
、この回路は、電圧源線２０２、制御線２０８、スイッチＳ３および出力線２０６を備え
、これらの要素はすべて、図２で対応する符号を持つ要素と同じである。線２０２上に適
切な大きさのＶＣＯＭを得るために、手動ポテンシオメータＰ１を電圧Ｖ１とＶ２との間
に接続して、線７２０の上のポテンシオメータ接触子の出力がフィードスルー電圧に可能
な全電圧範囲に対応するＶＣＯＭ値の範囲全体にわたることができるようにする。線７２
０は、出力が線２０２および自己の負入力の両方に接続された差動増幅器７２２からなる
電圧フォロワの正入力に接続される。増幅器２０２の出力は、線７２４を介して外部測定
装置７２６にも接続され、この測定装置には線７２８を介して線２０６から共通電極電圧
が供給される。
【００７３】
回路７００の電圧入力線２０２を適切な大きさのＶＣＯＭにするためには、例えば、す
べての画素電極をそれらの中心電圧（しばしば０のＶ）に設定し、線２０８上の制御信号
をスイッチＳ３を開いた状態に保つように設定し、ディスプレイをポテンシオメータＰ１
および増幅器７２２で形成された駆動回路から切り離して、ディスプレイを連続的に走査
することができる。外部装置７２６は、線２０６および７２８上の共通電極電圧を測定し
て、それを、線２０２および７２４上の増幅器７２２の出力電圧と比較する。そして、オ
ペレータは、外部試験装置７２６がこれら２つの電圧の差が許容範囲内にあることを示す
（青信号、電子ブザー音、または他の信号によって）まで、Ｐ１の接触子を回す。
【００７４】
既に述べたように、図３の回路３００は、ポテンシオメータＲ９と抵抗器Ｒ１０の組み
合わせがポテンシオメータＰ１に取って代わり、ＩＣ３３０のピン１/２/３の部分が増幅
器７２２に取って代わる形で、まさに図７に示すタイプの回路を備えている。
【００７５】
図７のポテンシオメータＰ１の代わりにデジタルポテンシオメータを使用することもで
きる。すると、試験装置は、測定電圧差が仕様範囲内に入るまで、専用インタフェースま
たはコントローラを通して自動的にポテンシオメータの値を調整することができる。ポテ
ンシオメータに不揮発性メモリを備えるか、あるいは最終設定値をコントローラに保存し
、ディスプレイがパワーアップされる都度その設定値を用いてポテンシオメータを初期化
することもできる。どちらの場合も、フィードスルー電圧に関する機能はコントローラで
はなくディスプレイの機能であるから、ポテンシオメータは、コントローラ基板よりむし
ろディスプレイモジュールのプリント回路基板に設けることができようし、このようにポ
テンシオメータを配設することにより、ディスプレイ間におけるコントローラの交換が可
能になる。
【００７６】
ポテンシオメータＰ１に代えて、種々のタイプの回路使用することも可能である。例え
ば、抵抗トレースまたは抵抗器を並列に入れ、選択的に切断、打ち抜き、あるいはレーザ
アブレーションなどの加工を行って電圧設定値を調整することができよう。他の態様にお
いては、この目的のために、Ｒ−２Ｒラダー回路、ローパスフィルタに結合されたパルス
変調器、あるいは本来のＤ／Ａ変換器のような、デジタル／アナログ機構を用いることも
できる。上記外部装置は、測定および比較を行なう一方で、コントローラとのインタフェ
ースを取って、デジタル／アナログ設定を調整することもことができる。最終設定値が決
まったならば、コントローラ、またはディスプレイモジュールのプリント回路基板に実装
された小さな電気的消去可能プログラマブルＲＯＭあるいは他の不揮発性メモリに保存す
ることも可能である。
【００７７】
しかしながら、理想的には、ディスプレイは外部装置に接続している間にこのような調
整手順を経る必要はなく、その代わりに、例えば、共通電極電圧（あるいは、より正確に
言うと、ゲートフィードスルーを見込んだドライバ電圧範囲の中間点からのこの電圧のオ
フセット値）を調整するための内部機能を備え、これによって製造時の時間を節約すると
共に潜在的間違いをなくし、かつ多様な再調整を可能にすることが望ましい。このような
「内部調整」の手段をもたらす１つの簡単な回路が添付図面の図８に図解されている（全
体を符号８００で示す）。回路８００は、基本的に、図７に示す回路７００で線７２４お
よび７２８、外部測定装置７２６およびポテンシオメータＰ１をすべて省き、代わりに複
数のセンサ画素４１４（前に図４を参照して説明したものと同じ）、およびその入力がセ
ンサ画素４１４から電圧を受け取り、線７２０′上のその出力が増幅器７２２′に供給さ
れるようになっている信号調整装置８３０を設けることにより修正した形のものである。
【００７８】
回路８００は、測定フィードスルー電圧をデジタル化する必要はない。その代わりに、
ディスプレイの能動領域は可変イメージデータで更新し、センサ画素は常時ＶＳＭ、すな
わちカラムドライバ電圧範囲の中間値（しばしば０Ｖ）を書き込んで、図４に示す制御手
段４００の場合同様に、センサ画素を用いて共通電極に必要な電圧のリアルタイム測定を
行う。センサ画素４１４より発生したアナログ電圧は、任意態様として信号調整装置８３
０によりフィルタされて、増幅器７２２′よりなる電圧フォロワ回路および線２０６を介
して共通電極を駆動するために使用される。
【００７９】
添付図面の図９には、センサ画素の存在を必要としないもう１つの「内部調整」の方法
が図解されている。図９に示す回路（全体として符号９００で示す）は、図８の回路８０
０からセンサ画素４１４と信号調整装置８３０を省き、代わりに増幅器７２２″の正入力
と接地との間に接続されかつスイッチＳ４を介して出力線２０６にも接続されたコンデン
サＣ１を加えることにより得られたものと見なすことが可能である。スイッチＳ４は、線
２０８から線９３２を介して制御信号を受け取り、他方制御線２０８とスイッチＳ３の間
にインバータ９１２が挿入されている。（インバータ９１２があるために、回路８００の
場合と比較して、回路９００では線２０８上の制御信号を反転させる必要がある。あるい
は、もちろん、インバータを線９３２に挿入し、制御信号は変えないようにすることも可
能である。）
回路９００は下記の如く動作する。まず、すべての列電極をＶＳＭに設定し、コンデン
サＣ１が共通電極電圧ＶＣＯＭに充電されるように、スイッチＳ４を閉じ、スイッチＳ３
を開いた状態で、ディスプレイを走査する。次に、ディスプレイ上の実イメージを書き込
む間Ｓ４を開き、かつＳ３を閉じるように、制御線２０８の上の信号を変化させる。Ｓ４
が開いていると、増幅器７２２″よりなる電圧フォロワが、コンデンサＣ１に保存された
電圧ＶＣＯＭを必ず線２０２および２０６上にも生じさせ、したがって共通電極にも生じ
させる。必要ならば、Ｓ４とＣ１との間にさらに追加の電圧フォロワを挿入してもよい。
このように、スイッチＳ４とコンデンサＣ１とを組み合わせた回路は、アナログサンプル
・アンド・ホールド回路としての機能を果たし、その出力が、ディスプレイの更新時に共
通電極を駆動するために用いられる。この方法は、コンデンサＣ１上の電圧を所望値に維
持するために、多分どのイメージ更新の前であっても、少数のブランクフレームを周期的
に走査する必要があり、このようなブランクフレームの走査によってイメージ更新に要す
る時間が長くなるという短所がある。
【００８０】
既に述べたように、図３に示す回路３００中のコンデンサＣ１が図９に示す回路９００
中のコンデンサＣ１と同様の機能を果たし、回路３００のＨＶＥＮ信号のスイッチング動
作が回路９００のスイッチＳ４の代わりの機能を果たして、回路３００は回路９００と同
様のゲートフィードスルー補正機能を備えている。
【００８１】
回路９００で使用するアナログサンプル・アンド・ホールド法と対比して、デジタルコ
ントローラは、そのデジタル／アナログ機構をサーボ制御することによって、ＶＳＭとＶ
ＣＯＭとの間の電圧オフセットをフィードスルー電圧に極めて近づけることができる。こ
のタイプの回路を図１０に図解する（全体を符号１０００で示す）。この回路１０００は
、ポテンシオメータＰ１をコントローラ９３６からデジタル入力を受け取るＤＡＣ９３４
に置き換えた図７に示す回路７００の修正態様であると考えることができる。また、外部
測定装置７２６は比較器９３８に置き換えられ、その正入力には線９２４上の増幅器７２
２の出力が供給され、他方比較器９３８の負入力は線９２８を介して出力線２０６に接続
されている。比較器９３８からの出力はコントローラ９３６に供給される。
【００８２】
回路１０００の線２０２および２０６に出力する適切な電圧ＶＣＯＭは、ほぼ回路９０
０で使用したのと同様の方法で求められる。線２０８上の制御信号をコントローラ９３６
によりスイッチＳ３を開くように調整し、すべてのカラムドライバをＶＳＭに設定してデ
ィスプレイを１回以上走査する。コントローラ９３６はまず、ＤＡＣ９３４の出力をその
範囲の一方の限界値に設定し、次にＤＡＣ９３４のすべての可能な出力値を逐次チェック
するか、あるいは逐次近似法を用いて（おそらくこの後者の方法の方がより好ましい）、
比較器９３８のシングルビット出力がその間で変化するＤＡＣ９３４の２つの出力値を見
つける。次に、コントローラ９３６はＤＡＣ９３４の出力をこれらの２つの値のどちらか
一方に設定して、スイッチＳ３を閉じ、そしてディスプレイ上のイメージの更新を開始す
る。この方法の手順は、回路の精度および分解能に応じて、実際に出力線２０６上の出力
されるＶＣＯＭの電圧値とＶＳＭおよびゲートフィードスルー電圧を考慮して理論的に必
要な電圧値との差を十分に低いレベルまで小さくする。
【００８３】
回路１０００では、比較器９３８はフルＤＡＣに置き換えることもできるが、コスト上
の理由から、シングル型アナログ比較器９３８を使用することが好ましい。
【００８４】
以上の説明から、本発明により、電気光学ディスプレイのフィードスルー電圧を測定し
かつ補償することによって、フィードスルー電圧が正確に補償されない場合にこの種のデ
ィスプレイで生じる可能性がある有害な影響を回避するための装置および方法が達成され
ることは明らかであろう。
【図１】
0005449446.tif 000002
【図２】
0005449446.tif 000003
【図３】
0005449446.tif 000004
【図４】
0005449446.tif 000005
【図５】
0005449446.tif 000006
【図６】
0005449446.tif 000007
【図７】
0005449446.tif 000008
【図８】
0005449446.tif 000009
【図９】
0005449446.tif 000010
【図１０】
0005449446.tif 000011